(57)【要約】【課題】簡単な構成で、例えば温風又は冷風等の気体を使用者に供給することができるマッサージ機を提供することを目的とする。【解決手段】使用者の身体が当接するパッド部材と、前記パッド部材を介して前記身体にマッサージ作用を与えるマッサージ部と、気体を供給する気体供給装置と、を有し、前記気体供給装置は、気体を発生させる気体発生部と、前記気体発生部により生成した気体の流路である可撓性を有するホースと、を有し、前記パッド部材は大気と連通する開口を有する第１部分を有し、前記ホースは前記パッド部材の内部において前記第１部分と連通している。【選択図】      図７
2020000681.tif 000002
【特許請求の範囲】
【請求項１】
使用者の身体が当接するパッド部材と、
前記パッド部材を介して前記身体にマッサージ作用を与えるマッサージ部と、
気体を供給する気体供給装置と、を有し、
前記気体供給装置は、
気体を発生させる気体発生部と、
前記気体発生部により生成した気体の流路である可撓性を有するホースと、を有し、
前記パッド部材は大気と連通する開口を有する第１部分を有し、
前記ホースは前記パッド部材の内部において前記第１部分と連通していることを特徴とするマッサージ機。
【請求項２】
前記ホースは、少なくともその先端が前記第１部分の内部に挿通されていることを特徴とする請求項１に記載のマッサージ機。
【請求項３】
前記第１部分は、複数の開口を有するメッシュ構造で構成されていることを特徴とする請求項１又は２に記載のマッサージ機。
【請求項４】
前記第１部分は、前記身体に当接する前記開口が形成された表地と、該表地の裏側に設けられた裏地と、により、前記身体が前記パッド部材に当接する当接面に対向する方向に積層していることを特徴とする請求項１〜３のいずれかに記載のマッサージ機。
【請求項５】
前記パッド部材は、前記第１部分が部分的に形成されていることを特徴とする請求項１〜４のいずれかに記載のマッサージ機。
【請求項６】
前記身体支持部は背凭れ部又は座部であり、
前記パッド部材は、
左右方向中央に前記第１部分を有し、
前記第１部分の左右両側に該第１部分よりも強度の高い第２部分を有することを特徴とする請求項５に記載のマッサージ機。
【請求項７】
前記マッサージ部は、左右で対をなして互いに近接離反する施療子を有し、
前記身体支持部は、前記施療子の施療範囲である第１領域と、前記施療子の施療範囲外である第２領域と、を有し、
前記第２領域は、近接した状態における対の前記施療子の間の領域であり、
前記第１部分が前記第２領域に設けられていることを特徴とする請求項６に記載のマッサージ機。
【請求項８】
前記気体発生部は、熱交換器を有し、温風又は冷風を切り替えて供給可能であることを特徴とする請求項１〜７のいずれかに記載のマッサージ機。
【請求項９】
前記ホースは、前記マッサージ機の外部と連通する第１ホースと、前記マッサージ機の内部と連通する第２ホースと、を有し、
前記気体供給装置は、温風の流路を前記第１ホースとし、冷風の流路を前記第２ホースとして構成していることを特徴とする請求項８に記載のマッサージ機。
【請求項１０】
前記気体発生部は、オゾン、マイナスイオン又は香りを供給可能であることを特徴とする請求項１〜９のいずれかに記載のマッサージ機。
【発明の詳細な説明】
【技術分野】
【０００１】
本発明はマッサージ機に関する。
【背景技術】
【０００２】
従来、ペルチェ素子により構成された熱交換器を有し、使用者の各部位に対して温風又は冷風を送気することができるマッサージ機が知られている。このマッサージ機は、椅子型体を構成する背凭れ部、座部及び足載せ部に温風又は冷風の吹出口が設けられている。そして、背凭れ部に内蔵された熱交換器及び送風ファンにより供給される温風又は冷風が、基台から椅子型体の内部を通過して各吹出口まで延設された風路を介して各吹出口より放出される（例えば、特許文献１参照）。
【先行技術文献】
【特許文献】
【０００３】
【特許文献１】特開平１０−１１８１４９号公報
【発明の概要】
【発明が解決しようとする課題】
【０００４】
しかし、上記特許文献１に記載のマッサージ機は、基台から椅子型体の内部を通過して各吹出口まで風路を形成すべく、椅子型体に内蔵されたマッサージ機構等の内部機構と干渉しないように風路を形成しなければならず、風路の配設が極めて困難である。具体的には、内部機構のクリアランスに合わせて風路の屈曲形状及び配設位置を確定し、その形状と位置を保持しておかなければならない。また、内部構造との干渉により風路が破損してしまう恐れもある。そこで本発明は、上述した問題を解消するためになされたものであり、簡単な構成で、例えば温風又は冷風等の気体を使用者に供給することができるマッサージ機を提供することを目的とする。
【課題を解決するための手段】
【０００５】
本発明は、使用者の身体が当接するパッド部材と、前記パッド部材を介して前記身体にマッサージ作用を与えるマッサージ部と、気体を供給する気体供給装置と、を有し、前記気体供給装置は、気体を発生させる気体発生部と、前記気体発生部により生成した気体の流路である可撓性を有するホースと、を有し、前記パッド部材は大気と連通する開口を有する第１部分を有し、前記ホースは前記パッド部材の内部において前記第１部分と連通していることを特徴とする。
このような構成とすることにより、簡単な構成でホースとマッサージ部の干渉を低減することができる。
【０００６】
また、前記ホースは、少なくともその先端が前記第１部分の内部に挿通されていることが好ましい。
このような構成とすることにより、パッド部材の少なくとも一部を構成する第１部分とホースを適切に連通させることができる。
【０００７】
また、前記第１部分は、複数の開口を有するメッシュ構造で構成されていることが好ましい。
このような構成とすることにより、使用者に対してムラなく気体を供給することができる。
【０００８】
また、前記第１部分は、前記身体に当接する前記開口が形成された表地と、該表地の裏側に設けられた裏地と、により、前記身体が前記パッド部材に当接する当接面に対向する方向に積層していることが好ましい。
このような構成とすることにより、開口を有するにも関わらず第１部分の強度を高めることができる。例えば、マッサージ部の動作に伴うパッド部材の引っ張り等の変形にも十分対応することができる。
【０００９】
また、前記パッド部材は、前記第１部分が部分的に形成されていることが好ましい。
このような構成とすることにより、パッド部材の全体に第１部分を形成するのに比べて、パッド部材の強度を高めることができる。例えば、マッサージ部の動作に伴うパッド部材の引っ張り等の変形にも十分対応することができる。
【００１０】
また、前記身体支持部は背凭れ部又は座部であり、前記パッド部材は、左右方向中央に前記第１部分を有し、前記第１部分の左右両側に該第１部分よりも強度の高い第２部分を有することが好ましい。
このような構成とすることにより、例えば温風又は冷風等の気体を身体の中心に効果的に供給することができる。また、パッド部材の全体を第１部分で形成するのに比べて、パッド部材の強度を高めることができる。第１部分に比べて第２部分の強度を高める構成として、開口を有していない、第１部分より開口の範囲又は数が少ない、第１部分より身体がパッド部材に当接する当接面に対向する方向の厚みが大きい、又は第１部分とは異なる材質である等の構成を含む。
【００１１】
また、前記マッサージ部は、左右で対をなして互いに近接離反する施療子を有し、前記身体支持部は、前記施療子の施療範囲である第１領域と、前記施療子の施療範囲外である第２領域と、を有し、前記第２領域は、近接した状態における対の前記施療子の間の領域であり、前記第１部分が前記第２領域に設けられていることが好ましい。
このような構成とすることにより、例えば温風又は冷風等の気体を身体の中心に効果的に供給することができる。また、パッド部材の破損を防止できる。
【００１２】
また、前記気体発生部は、熱交換器を有し、温風又は冷風を切り替えて供給可能であることが好ましい。
このような構成とすることにより、使用者の好みに応じて温風又は冷風を供給することができ、快適にマッサージを受けることができる。
【００１３】
また、前記ホースは、前記マッサージ機の外部と連通する第１ホースと、前記マッサージ機の内部と連通する第２ホースと、を有し、前記気体供給装置は、温風の流路を前記第１ホースとし、冷風の流路を前記第２ホースとして構成していることが好ましい。
このような構成とすることにより、使用者の身体を温めることによりマッサージ効果を高め、マッサージ機の内部を冷却することにより温度上昇を低減することができる。
【００１４】
また、前記気体発生部は、オゾン、マイナスイオン又は香りを供給可能であることが好ましい。
このような構成とすることにより、マッサージ機の脱臭やリラックス効果を期待することができる。
【発明の効果】
【００１５】
本発明によれば、簡単な構成で、例えば温風又は冷風等の気体を使用者に供給することができる。
【図面の簡単な説明】
【００１６】
【図１】本発明の一実施形態に係るマッサージ機の斜視図である。
【図２】マッサージ機を示す斜視図である。
【図３】マッサージ機の模式図である。
【図４】マッサージ機のブロック図である。
【図５】マッサージ機の姿勢を説明する側面図である。
【図６】マッサージ部の正面図である。
【図７】気体供給装置及びパッド部材の説明図である。
【図８】パッド部材の説明図であり、（ａ）は図７のＡ−Ａ断面図であり、（ｂ）は図７のＢ−Ｂ断面図である。
【図９】背凭れ部及びパッド部材の説明図である。
【図１０】気体発生部の説明図であり、（ａ）は気体発生部の斜視図であり、（ｂ）は気体発生部の平面図である。
【図１１】気体発生部の説明図であり、（ａ）は図１０（ｂ）のＡ−Ａ断面斜視図であり、（ｂ）は図１０（ｂ）のＡ−Ａ断面正面図である。
【図１２】本発明の他の実施形態に係る気体供給装置の説明図である。
【図１３】本発明の他の実施形態に係る気体発生部の説明図である。
【発明を実施するための形態】
【００１７】
［マッサージ機の全体構成］
以下、本発明のマッサージ機１の全体構成について説明する。図１は本発明の一実施形態に係るマッサージ機１の斜視図である。図２はマッサージ機１の斜視図であり、後述するパッド部材３０及び枕部５を背凭れ部３から分離して図示している。図３はマッサージ機１の模式図である。図４はマッサージ機１のブロック図である。図５はマッサージ機１の姿勢を説明する側面図である。図６はマッサージ部８の正面図である。
なお、以下の説明で用いる方向の概念は、図１に示すマッサージ機１に着座した使用者から見たときの方向の概念と一致するものとし、その他の場合は適宜説明するものとする。また、身体の表裏の定義については、起立した使用者の胸側を「表面」、背中側を「背面」として説明する。
【００１８】
図１〜図５に示すとおり、本発明の第１実施形態に係るマッサージ機１は、主として、使用者が着座する座部２と、座部２の後部にリクライニング可能に設けられた使用者が凭れる背凭れ部３と、座部２の前部に上下揺動可能に設けられた使用者の下肢を支持するフットレスト４と、背凭れ部３の上部前面に設けられた使用者の頭及び／又は首を支持する枕部５と、座部２の左右両側には肘掛け部６と、背凭れ部３の左右両側には側壁部７と、を有している。座部２、背凭れ部３、フットレスト４、枕部５、肘掛け部６、及び側壁部７は、使用者の身体を支持する身体支持部として機能する。身体支持部２〜７の各所には、使用者の身体に対してマッサージを行う後述するエアセル２０や後述するバイブレータ２１によるマッサージ部１５が設けられている。また、マッサージ機１は、背凭れ部３に揉みマッサージ及び／又は叩きマッサージを行うマッサージ部１５としてのマッサージユニット８と、マッサージ機１の各動作を制御する制御部９と、後述する使用者に各種操作を行わせるコントローラ１０と、を有している。
【００１９】
図２に示すとおり、背凭れ部３の表面側には、カバー部材３ｃが設けられている。また、カバー部材３ｃの表面側には、使用者の身体が当接するクッション性を有するパッド部材３０が設けられている。また、パッド部材３０の表面側には、枕部５が設けられている。カバー部材３ｃ、パッド部材３０、及び枕部５の構成についての詳細は後述する。
【００２０】
図１〜図２、図４〜図５に示すとおり、背凭れ部３は、座部２の下方に設けられた第一アクチュエータ１１（図４参照）により、座部２に対して前後にリクライニング可能に構成されており、図１に示す起立姿勢から背凭れ面が略水平となるリクライニング姿勢（図５参照）まで変更可能となっている。なお、肘掛け部６は背凭れ部３のリクライニングに連動して後方へ移動し、背凭れ部３の起立に連動して前方へ移動するよう構成されている。フットレスト４は、座部２の下方に設けられた第二アクチュエータ１２（図４参照）により、座部２に対して上下に揺動可能に構成されており、図１に示す垂下姿勢から膝を伸ばした状態で下腿及び足部が支持される上昇姿勢（図５参照）まで変更可能となっている。
【００２１】
図３，図４に示すとおり、座部２の下方には、エアセル２０よりなる各マッサージ部ａ１〜ａ８に対してエアを給排気するポンプ１３ａ及びバルブ１３ｂを有する給排気装置１３と、前述した制御部９と、後述する気体発生部７１が設けられている。各マッサージ部ａ１〜ａ８と同じ場所にモータにより駆動されるバイブレータ２１を設けてもよい。エアセル２０は、エアを給排気することで使用者を押圧することができる。バイブレータ２１は、偏心分銅が回転することで使用者に振動を与えることができる。制御部９は、プログラマブルなマイコン等を有しており、各アクチュエータ１１，１２、マッサージ部１５、給排気装置１３、及び後述する気体発生部７１を駆動制御する。制御部９には、後述するコントローラ１０や記憶部５０が電気的に接続されている。マッサージ機１は、記憶部５０に記憶された所定のプログラム（マッサージコース）に従ってマッサージ部１５を動作させる他、後述する使用者によるコントローラ１０からの指示に従って動作する。
【００２２】
［座部の構成］
図１〜４に示すとおり、座部２の左右両側には、使用者の臀部及び／又は大腿部の外側面に対向して設けられた壁部２２が設けられている。この壁部２２は、座部の側方において上方へ立設されている。そして、壁部２２の内側面には、臀部及び／又は大腿部の外側面をマッサージする臀部マッサージ部ａ４が設けられている。座部２の左右両側の肘掛け部６の内側壁を壁部２２として利用してもよく、臀部マッサージ部ａ４を肘掛け部の内側壁に設ければよい。また、座部２には、使用者の臀部及び／又は大腿部を下方（背面）からマッサージする臀部マッサージ部ａ５が設けられていてもよい。臀部マッサージ部ａ４，ａ５は、エアの給排気により膨張収縮するエアセル２０により構成されている。このように、臀部マッサージ部ａ４は左右で対をなしてマッサージ部群Ａ４を構成し、臀部マッサージ部ａ５は左右で対をなしてマッサージ部群Ａ５を構成している。
【００２３】
［背凭れ部の構成］
図１〜図４に示すとおり、背凭れ部３は、硬質の背フレーム３ａと、背フレーム３ａに組み付けられたマッサージ部１５であるマッサージユニット８の昇降をガイドするガイドレール１８と、背フレーム３ａを被覆するカバー部材３ｃと、により構成されている。背フレーム３ａは、金属部材及び／又は樹脂部材により構成されている。また、背フレーム３ａは、左右中央に形成された前後方向に開口する開口部３ｂを有し、正面視で略門型をなしている。また、カバー部材３ｃは、開口部３ｂを前方から覆っている。マッサージユニット８の施療子６２（図６参照）が開口部３ｂより前方へ突出しており、カバー部材３ｃ及び後述するパッド部材３０を介して使用者の身体を後方からマッサージ部１５でマッサージできるようになっている。このようにすることで、使用者の身体がマッサージ部１５の駆動機構等に巻き込まれることを防止して、安全性を高めている。また、カバー部材３ｃの上部と左右両側部には、後述するパッド部材３０を係合するファスナー等によりなる係合部３ｄが設けられている。
【００２４】
［マッサージユニットの構成］
以下、マッサージユニット８の構成について説明する。
図１〜図４，図６に示すとおり、背凭れ部３には、使用者の上半身を後方（背面）からマッサージするマッサージユニット８が設けられている。このマッサージユニット８は、身長方向に沿って複数（本実施形態では１つ）設けられていてもよい。このマッサージユニット８は、左右で対をなすアーム６１と、アーム６１の上下両端部に設けられた施療子６２と、により構成されており、マッサージモータＭ１，Ｍ２の駆動により左右の施療子６２が近接離反する揉みマッサージ、及び左右の施療子６２が交互に使用者側へ進退する叩きマッサージを行わせることができる。また、マッサージユニット８は、昇降モータＭ３の駆動により身長方向に沿って上方又は下方へ移動して、身体に対する位置を変更したり、ローリングマッサージを行わせたりすることができる。背フレーム３ａには、身長方向に延設された左右で対をなすガイドレール１８が設けられており、マッサージユニット８はガイドレール１８に沿って移動する。マッサージユニット８が身長方向に移動可能であるため、使用者の首から腰の間を施療子６２でマッサージすることができる。
【００２５】
図６に示すとおり、マッサージユニット８は、ベースフレーム６０ａと、ベースフレーム６０ａに支持された可動フレーム６０ｂと、を有している。ベースフレーム６０ａは、その左右両側においてガイドレール１８に嵌合するガイドローラ６３を有している。そして、ラックピニオン等よりなる昇降機構（図示せず）によって、身長方向に沿って移動することができる。可動フレーム６０ｂは、左右方向の揺動軸６４を介してベースフレーム６０ａに支持されている。ベースフレーム６０ａと可動フレーム６０ｂの間には、エアセル２０ａよりなる進退手段６５が設けられている。進退手段６５であるエアセル２０ａを膨張収縮させて、可動フレーム６０ｂは揺動軸６４を中心として前後方向に進退することができ、使用者の特定部位を進退させることができる。なお、可動フレーム６０ｂを進退させる構造でなくてもよく、アーム６１に進退手段６５を設けてアーム６１のみを進退させる構造であってもよい。
【００２６】
アーム６１は、左右方向に延設された揉み軸６６及び叩き軸６７に連結されている。揉み軸６６の左右両側には、傾斜軸部６６ｂを有する傾斜カム６６ａが設けられており、この傾斜カム６６ａにアーム６１が取り付けられている。左右の傾斜軸部６６ｂは、正面視で略ハの字型となるように揉み軸６６の軸心に対して傾斜している。叩き軸６７の左右両側には、叩き軸６７の軸心に対して偏心した偏心軸部６７ｂを有する偏心カム６７ａが設けられており、この偏心カム６７ａにアーム６１がコンロッド６８を介して取り付けられている。左右の偏心軸部６７ｂは、叩き軸６７の軸心に対する位相が互いに異なっており、具体的には１８０度だけ異なっている。揉み軸６６及び叩き軸６７は、それぞれマッサージモータＭ１，Ｍ２の駆動により回転する。施療子６２は、揉み軸６６の回転により揉みマッサージを行い、叩き軸６７の回転により叩きマッサージを行う。なお、施療子６２が設けられたアーム６１、揉み軸６６、及び叩き軸６７は、可動フレーム６０ｂに支持されている。従って、施療子６２は、可動フレーム６０ｂの移動を介して使用者に対して進退可能である。
【００２７】
アーム６１は、前後方向に揺動自在であり、上側の施療子６２が前方へ突出するようにバネ等よりなる付勢手段（図示せず）により付勢されている。また、マッサージユニット８は、使用者の身体の特定部位を検出する検出手段であるセンサ６９を有している。このセンサ６９は、アーム６１が所定の揺動位置となったことを検出することで身体情報を得ることができる。具体的に説明すると、マッサージユニット８を身長方向に沿って上昇させる過程で、上側の施療子６２が肩の上方に到達すると、施療子６２に作用する負荷が解除されて、アーム６１が前方へ揺動して所定の揺動位置となる。アーム６１が所定の揺動位置となったことをセンサ６９が検出し、その際のマッサージユニット８の上下位置に基づいて肩の位置を検出する。肩の位置を基準として、その他の部位（首、背中、腰等）の位置を計算により求める。検出された身体情報は記憶部５０に記憶される。このようにすることで、使用者の特定部位（首、肩、背中、腰等）に対してマッサージを行うことができる。
【００２８】
［側壁部の構成］
図１〜図４に示すとおり、背フレーム３ａ（背凭れ部３）の左右両側には、使用者の肩又は上腕の外側面に対向して設けられた側壁部７が設けられている。この側壁部７は、背凭れ部３の側方において前方へ立設されている。そして、側壁部７の内側面には、肩又は上腕の前方及び/又は側方を保持又はマッサージする肩側マッサージ部ａ２が設けられている。肩側マッサージ部ａ２は、エアの給排気により膨張収縮するエアセル２０により構成されている。このように、肩側マッサージ部ａ２は左右で対をなしてマッサージ部群Ａ２を構成している。
【００２９】
［枕部の構成］
図１〜図４に示すとおり、後述するパッド部材３０の表面側の上部には、使用者の頭及び／又は首を支持する枕部５が設けられている。枕部５は、後述するパット部材３０の表面上部に設けられた面ファスナー等よりなる係合部３０ｃに対して、背面上部に設けられた面ファスナー等よりなる被係合部５ａを係合・離脱することにより、パッド部材３０に対して着脱可能である。また、枕部５は、パッド部材３０に取り付けた状態であっても、上部のみ互いに係合しているため、係合箇所を支点として背凭れ部３の背面側へ離脱させることも可能である。
【００３０】
枕部５の前面には、頭及び／又は首の後面に対向して設けられた左右で対をなす頭部マッサージ部ａ１が設けられている。頭部マッサージ部ａ１は、エアの給排気により膨張収縮するエアセル２０により構成されている。このように、頭部マッサージ部ａ１は、左右で対をなしてマッサージ部群Ａ１を構成している。この頭部マッサージ部ａ１は、頭及び／又は首の外側面に対向して設けてもよい。この場合は、前方へ立設された壁部（図示せず）の内側面に設けるとよい。また、頭部マッサージ部ａ１は、枕部５に設けるのではなく、後述するパッド部材３０の上部前面に直接設けてもよい。
【００３１】
［肘掛け部の構成］
図１〜図４に示すとおり、座部２の左右両側には、使用者の手先と前腕を支持する肘掛け部６が設けられている。肘掛け部６の手先と前腕の上下方向には、腕マッサージ部ａ３が設けられている。腕マッサージ部ａ３は、エアの給排気により膨張収縮するエアセル２０により構成されている。このように、腕マッサージ部ａ３は、左右で対をなしてマッサージ部群Ａ３を構成している。
【００３２】
［フットレストの構成］
図１〜図４に示すとおり、フットレスト４は、使用者の下腿を支持する左右一対の脚支持部４０と、使用者の足部を支持する左右一対の足支持部４１と、を有している。脚支持部４０は、使用者の下腿の背面に対向して設けられた底壁４０ａと、底壁４０ａの左右両端から前方に向かって立設された側壁４０ｂと、底壁４０ａの左右中央から前方に向かって立設された中央壁４０ｃと、を有している。
【００３３】
側壁４０ｂの内側面には、下腿の外側面をマッサージする脚マッサージ部ａ６が設けられている。中央壁４０ｃの両外側面には、下腿の内側面をマッサージする脚マッサージ部ａ６が設けられている。また、底壁４０ａには、使用者の下腿の背面からマッサージする脚マッサージ部ａ７が設けられている。脚マッサージ部ａ６，ａ７は、エアの給排気により膨張収縮するエアセル２０により構成されている。脚マッサージ部ａ６は、下腿の内側面に対向する脚マッサージ部ａ６と、下腿の外側面に対向する脚マッサージ部ａ６、により左右で対をなしてマッサージ部群Ａ６を構成している。脚マッサージ部ａ７は、中央壁４０ｃを挟んで左側の下腿の背面に対向する脚マッサージ部ａ７と、中央壁４０ｃを挟んで右側の下腿の背面に対向する脚マッサージ部ａ７と、により左右で対をなしてマッサージ部群Ａ７を構成している。
【００３４】
足支持部４１は、使用者の足裏を置く底壁４１ａと、底壁４１ａの左右両端から上方に向かって立設された側壁４１ｂと、底壁４１ａの左右中央から上方に向かって立設された中央壁４１ｃと、底壁４１ａの後部から上方へ立設された足部の背面（踵付近）に対向する後壁４１ｄと、を有している。各壁４１ａ〜４１ｄより上方及び前方が開口した凹部４２が形成されており、凹部４２に足部を収容できるようになっている。
【００３５】
各壁４１ａ〜４１ｃには、使用者の足をマッサージする足マッサージ部ａ８が設けられ、左右で対をなしてマッサージ群Ａ８を構成している。足マッサージ部ａ８は、エアの給排気により膨張収縮するエアセル２０により構成されている。
【００３６】
[コントローラの構成]
図１〜図５に示すとおり、肘掛け部６の上部にはコントローラ１０が備えられており、使用者が着座した状態で操作することができる。このコントローラ１０は、使用者が目視で確認できる画面１０ａと、使用者が画面１０ａ上を指先操作するタッチパネル１０ｂと、画面１０ａの表示内容を音声で出力するスピーカー５３を有している。なお、スピーカー５３はコントローラ１０が有していると説明したが、これに限定されなく、前述した背凭れ部３の上部（使用者が着座した時の耳周辺）や前述した枕部５に設けてもよい。また、コントローラ１０を操作することにより、リクライニングさせて背凭れ部３の姿勢を変更することができ、上下に揺動させてフットレスト４の姿勢を変更することができる。また、動作させるマッサージユニット８，各マッサージ部ａ１〜ａ８を選択したり、マッサージユニット８，各マッサージ部ａ１〜ａ８の動作（手技又は強さ等）を変更したりすることもできる。タッチパネル１０ｂによる操作の代わりに、コントローラ１０内に配置した物理ボタン５１のみやコントローラ１０内に設置されたマイク（図示せず）を使った音声認識部５２による操作のみであってもよい。このようにすることで、使用者は容易に選択することができる。なお、音声認識部３２であるマイク（図示せず）をコントローラ１０内ではなく、背凭れ部３の上部や枕部５に設置してもよい。このようにすることで、使用者はわざわざ姿勢を変えなくても背凭れ部３に凭れたまま、音声認識部５２で選択を行うことができる。
【００３７】
[気体供給装置の構成]
図７は、気体供給装置７０及びパッド部材３０の説明図である。図８は、パッド部材３０の説明図であり、（ａ）は図７のＡ−Ａ断面図であり、（ｂ）は図７のＢ−Ｂ断面図である。図９は、背凭れ部３及びパッド部材３０の説明図である。以下、気体供給装置７０の構成について、図２及び図７〜図９に基づいて説明する。
【００３８】
図２，図７〜図９に示すとおり、気体を供給する気体供給装置７０は、後述する気体を発生させる気体発生部７１と、気体発生部７１により生成した気体の流路で可撓性を有するホース７２とを有している。また、パッド部材３０は大気と連通する開口７３ａを有する第１部分７３を有し、ホース７２はパッド部材３０の内部において第１部分７３を連通している。このようにすることで、気体発生部７１で発生させた気体（風）をホース７２を介して、パッド部材３０の第１部分７３から使用者へ供給することができる。また、マッサージユニット８が動作する範囲とホース７２の配管位置とを別々に離すことができるので、簡単な構成でホース７２と前述したマッサージユニット８の干渉を低減することができる。
【００３９】
[パッド部材の構成]
以下、パッド部材３０の構成について、に基づいて説明する。
図２、図７〜図９に示すとおり、前述したパッド部材３０は、背凭れ部３の表面側に設けられている。具体的には、背凭れ部３に対応する位置であってカバー部材３ｃの表面側に設けられている。また、パッド部材３０は、ファスナー等より係合部３ｄ及び被係合部３０ａによって背凭れ部３に連結されている。具体的には、パッド部材３０は、その背面側であって上部と左右両側部に設けられた被係合部３０ａを、背凭れ部３のカバー部材３ｃに設けられた係合部３ｄに係合することにより、背凭れ部３のカバー部材３ｃの表面側に固定される。このように、使用者に接するパッド部材３０が着脱自在であるため、損傷や汚れに応じてパッド部材３０を交換することができる。また、パッド部材３０の表面側であって上部に設けられた係合部３０ｃと前述した枕部５の背面側に設けられた被係合部５ａとが係合して、パッド部材３０の表面側上部に枕部５を固定することができる。このようにすることで、枕部５が着座自在となり、枕部５内に設けられたマッサージ部１５が故障した際の交換が容易となる。
【００４０】
パッド部材３０の左右中央部には、大気と連通する開口７３ａする第１部分７３を有しており、第１部分７３は複数の開口７３ａを有するメッシュ構造で構成されている。具体的には、パッド部材３０の第１部分７３は、パッド部材３０の左右中央部に左右方向より身長方向に長寸であり、背凭れ部３において首部に対応する位置から腰部に対応する位置まで延設されており、首部に対応する位置から腰部に対応する位置まで複数の開口７３ａを有するメッシュ構造の生地である。このようにすることで、パッド部材３０の第１部分７３の開口７３ａから気体（風）を、使用者に対して供給ができる。また、複数の開口７３ａを有するメッシュ構造の生地とすることで、使用者に対して、ムラなく気体（風）を供給することができる。
【００４１】
また、パッド部材３０の第１部分７３の下端部から気体発生部７１で発生させた気体の経路であるホース７２を第１部分７３の内部に挿通するようにする。また、パッド部材３０の第１部分７３は、身体に当接する開口７３ａが形成された表地７３ｂと表地７３ｂの裏側に設けられた裏地７３ｃとにより、使用者の身体がパッド部材３０に当接する当接面に対向する方向に積層するようにする。具体的には、図７，８に示すとおり、パッド部材３０の第１部分７３は、表面側に開口７３ａが形成された表地７３ｂと表地７３ｂの裏側には開口７３ａがない裏地７３ｃとで積層して形成し、表地７３ｂと裏地７３ｃとの間に空間Ｓをつくり、パッド部材３０の第１部分７３の下端部からホース７２の少なくとも先端部を挿入するように形成する。表地７３ｂは目開きで糸の太さによって程よく気体（風）が通る生地のメッシュ構造にし、裏地７３ｃは気体（風）が通りにくい傘に使われるようなポリエステル等の生地にして、パッド部材３０の背面側から気体（風）が漏れることなく、パッド部材３０の表面側にのみ、気体（風）を供給できるようにする。このようにすることで、パッド部材３０の第１部分７３とホース７２を適切に連通させることができ、第１部分７３の開口７３ａから気体（風）を使用者に対して供給することができる。また、パット部材３０の第１部分７３が積層に形成しているので、開口７３ａを有するにも関わらず、パット部材３０の第１部分７３の強度を高めることができ、例えば、マッサージユニット８のもみ動作や叩き動作等に伴うパッド部材３０の引っ張り等の変形にも十分に対応することができる。
【００４２】
図７，図８に示すとおり、パッド部材３０の第１部分７３は、パッド部材３０の全体に対して、部分的に形成されている。具体的には、パッド部材３０の第１部分７３は、左右中央部に左右方向より身長方向に長寸であり、背凭れ部３において首部に対応する位置から腰部に対応する位置まで延設し、開口７３ａを有する生地で形成する。パッド部材３０の第１部分７３以外の部分は開口７３ａを有さない生地で形成する。
このようにすることで、パッド部材３０の全体に第１部分７３を形成するのに比べて、パッド部材３０の強度を高めることができる。例えば、マッサージユニット８のもみ動作や叩き動作等に伴うパッド部材の引っ張り等の変形にも十分に対応することができる。第１部分７３の部分的な形成は、使用者がパッド部材３０と当接して接触する部分だけでもよい。
【００４３】
パッド部材３０の左右中央の第１部分７３の左右両側は、第１部分７３より強度の高い第２部分７４を有する。具体的には、図８に示すとおり、背凭れ部３の表面側に設けられるパッド部材３０の左右中央の第１部分７３は複数の開口７３ａを有するメッシュ構造の生地とし、第１部分７３の左右両側の第２部分７４は第１部分７３より強度が高い構成として、第１部分７３と同等生地であるが開口を有していない、第１部分７３より開口範囲又は数が少ない、第１部分７３より身体がパッド部材３０に当接する当接面に対向する方向の厚みが大きい、又はポリ塩化ビニールやポリウレタン樹脂の合成皮革の生地で第１部分７３とは異なる性質の生地であり、左右中央の第１部分７３を左右両側の第２部分７４で挟んで、糸７５で縫製する。このようにすることで、例えば温風又は冷風等の気体（風）を身体の中心に効果的に供給することができる。また、パッド部材３０の全体を第１部分７３で形成するのに比べて、第１部分７３より強度が高い第２部分７４を含めることでパッド部材３０の強度を高めることができる。
【００４４】
図９に示すとおり、マッサージユニット８の対の施療子６２は、前述したマッサージモータＭ１を駆動することにより、対の施療子６２は左右方向において互いに接近離反する。具体的には使用者の胴体側部の骨に対する施療子６２の接触を避けるべく対の施療子６２が最も離反した状態から使用者の背骨に対する施療子６２の接触を避けるべく、対の施療子６２が最も接近した状態まで接近離反する。最も接近した状態から最も離反した状態までの施療子６２が可動する範囲は可動範囲Ｄ１であり、対の施療子６２が最も接近した状態における対の施療子６２の間の施療子６２が届かない範囲は非可動範囲Ｄ２である。マッサージユニット８は、昇降モータＭ３を駆動することにより、身長方向に沿って可動範囲Ｄ３の範囲で昇降可能である。
【００４５】
身体支持部である背凭れ部３は、施療子６２の施療範囲である第１領域Ｒ１と、施療子６２の施療範囲外である第２領域Ｒ２と、を有している。第１領域Ｒ１は背凭れ部３の左右中心線を挟んで左右両側に位置しており、可動範囲Ｄ１と可動範囲Ｄ３との積の範囲と略一致し、第２領域Ｒ２は左右の第１領域Ｒ１，Ｒ１の間に位置しており、施療子６２の非可動範囲Ｄ２と可動範囲Ｄ３との積の範囲と略一致している。第２領域Ｒ２は、最も近接した状態における対の施療子６２の間の領域である。なお、施療子６２の施療範囲である第１領域Ｒ１とは、施療子６２が身体に実質的に作用して施療を体感できる領域を意味する。
【００４６】
具体的には、第２領域Ｒ２にパッド部材３０の第１部分７３が設けられている。そして、第２領域Ｒ２に設けられた第１部分７３の左右幅は、最も近接した状態における対の施療子６２の非可動範囲Ｄ２以下であることが望ましい。このようにすることで、例えば温風又は冷風等の気体（風）を身体の中心に効果的に供給することができる。また、開口を有することで強度が低くなる第１部分７３に対して施療子６２のもみ動作や叩き動作等に伴う引っ張り等の変形の影響が少なくなるため、パッド部材３０の破損を防止することができる。
【００４７】
[気体発生部の構成]
図１０は、気体発生部７１の説明図であり、（ａ）は気体発生部７１の斜視図であり、（ｂ）は気体発生部７１の平面図である。図１１は、気体発生部７１の説明図であり、（ａ）は図１０（ｂ）のＡ−Ａ断面斜視図であり、（ｂ）は図１０（ｂ）のＡ−Ａ断面正面図である。以下、気体発生部７１の構成について、図１０，図１１に基づいて説明する。
【００４８】
図１０，図１１に示すとおり、気体発生部７１は、温風又は冷風を外部に漏らすことなく前述したホース７２と連結可能な温冷風機ケース７１ａと、温冷風機ケース７１ａの内部に設けられ、温風又は冷風を切り替えて供給可能な熱交換器７６を有している。
【００４９】
熱交換器７６は、電流を流すことで一方面から熱を発生させ（加熱）、反対面から熱を逃がす（冷却）ことが可能な半導体素子７６ａと、半導体素子７６ａの一方面と反対面に設けられた熱を空気に伝導させる熱伝導体７６ｂと、熱伝導体７６ｂにより加熱又は冷却した空気を温風又は冷風としてホース７２に送風するファン７６ｃと、仕切板７６ｄから構成されている。具体的には、前述した温冷風機ケース７１ａ内の中央部に仕切板７６ｄを設けて２つの空間に分ける。仕切板７６ｄの一方面と半導体素子７６ａであるペルチェ素子の一方面（加熱側）とを当接して設け、ペルチェ素子の反対面（冷却側）に熱伝導体７６ｂを設ける。また、仕切板７６ｄの反対面と半導体素子７６ａであるペルチェ素子の反対面（冷却側）とを当接して設け、ペルチェ素子の一方面（加熱側）に熱伝導体７６ｂを設ける。各々の熱伝導体７６ｂの下部には送風するファン７６ｃが設けられている。例えば、冷風をホース７２に送りたい場合は、半導体素子７６ａであるペルチェ素子に電流を流し、熱伝導体７６ｂを介して空気を冷却し、冷却した空気を仕切板７６ｄの一方面側のファン７６ｃを駆動させて送風する。また、温風をホース７２に送りたい場合は、半導体素子７６ａであるペルチェ素子に電流を流し、熱伝導体７６ｂを介して空気を加熱し、加熱した空気を仕切板７６ｄの反対面側のファン７６ｃを駆動させて送風する。このようにすることで、熱交換器７６によって温風や冷風に切替えて、使用者の好みに応じて温風又は冷風を供給することができる。
【００５０】
（気体供給装置の他の実施形態）
前述した実施形態では、気体供給装置７０からホース７２を介してパッド部材３０への気体（風）を供給する場合を説明したが、ホース７２を２流路に分けてマッサージ機１の外部とマッサージ機１の内部とに連通するようにしてもよい。以下、ホース７２を２流路に分けた場合について説明するが、前述した実施形態と同様の構成については説明を省略する。図１２は、他の実施形態に係る気体供給装置７００の説明図である。以下、気体供給装置７００の構成について、図１２に基づいて説明する。
【００５１】
図１２に示すとおり、気体供給装置７００は、気体発生部７１と気体発生部７１により生成した気体の流路で可撓性を有するホース７２とを有し、ホース７２はマッサー機１の外部と連通する第１ホース７２ａとマッサージ機１の内部と連通する第２ホース７２ｂとを有し、気体供給装置７００は、温風の流路を第１ホース７２ａとし、冷風の流路を第２ホース７２ｂとして構成されている。具体的には、前述した気体発生部７１とホース７２との連通部分を変更する。前述した実施形態では、ホース７２は温風及び冷風の両方の流路であったが、これを前述した仕切板７６ｄを境界にして、温風側と連結する第１ホース７２ａと冷風側と連結する第２ホース７２ｂとに分けて連通させる。第１ホース７２ａは前述したパッド部材３０内部において第１部分７３と連通させる。また、第２ホース７２ｂはマッサージ機１の内部と連通させる。マッサージ１の内部としては、例えば、座部２の下方がよい。座部２の下方には給排気装置１３や制御部９等が設けられているので、これらが駆動することで熱を発生して、この空間のおける温度が上昇する。マッサージ機１の内部である座部２の下方を冷却することで温度上昇を低減でき、熱の影響による部品の故障を防ぐことができる。
【００５２】
（気体発生部の他の実施形態）
図１３は、他の実施形態に係る気体発生部７１の説明図である。以下、気体発生部７１の構成について、図１３に基づいて説明する。
図１３に示すとおり、気体発生部７１は温風や冷風以外の気体を供給することが可能である。具体的には、オゾンやマイナスイオン又は香り等を発生させる気体発生器１７１を設け、気体発生部７１と連通するホース７２と連結部７２ｄを介して気体発生器１７１と連通させる。気体発生器１７１から発生させたオゾンやマイナスイオン又は香りをホース７２内に送り、気体発生部７１を通じて使用者やマッサージ機１に送風することができる。このようにすることで、オゾンによるマッサージ機１の脱臭効果やマイナスイオンや香りによる使用者へのリラックス効果を期待することができる。
【産業上の利用可能性】
【００５３】
本発明は、簡単な構成で、例えば温風又は冷風等の気体を使用者に供給することができるマッサージ機に適用することができる。
【符号の説明】
【００５４】
１  マッサージ機
２  座部（身体支持部）
３  背凭れ部（身体支持部）
８  マッサージユニット（マッサージ部）
１５  マッサージ部
２０  エアセル（マッサージ部）
２１  バイブレータ（マッサージ部）
３０  パッド部材
７０  気体供給装置
７１  気体発生部
７２  ホース
７３  第１部分（パッド部材）
７３ａ  開口（第１部分）
【図１】
2020000681.tif 000003
【図２】
2020000681.tif 000004
【図３】
2020000681.tif 000005
【図４】
2020000681.tif 000006
【図５】
2020000681.tif 000007
【図６】
2020000681.tif 000008
【図７】
2020000681.tif 000009
【図８】
2020000681.tif 000010
【図９】
2020000681.tif 000011
【図１０】
2020000681.tif 000012
【図１１】
2020000681.tif 000013
【図１２】
2020000681.tif 000014
【図１３】
2020000681.tif 000015